(57)【特許請求の範囲】
【請求項１】
画像情報あるいは音声情報の少なくとも一方を含む信号を他の機器へ送信または受信することが可能なＡＶ機器であって、
バスを介して他の機器が備える記録媒体上の所望の記録領域を確保し、前記所望の時刻になった際に前記所望の記録領域に前記画像情報あるいは音声情報の少なくとも一方を含む信号を記録するために、該他の機器が所望の時刻になるまで該記録領域を使用することを禁止する手段と、
前記確保した記録領域に関する情報を保持する手段と、を備えたことを特徴とするＡＶ機器。
【請求項２】
請求項１に記載のＡＶ機器において、所望の時刻に信号を送出する手段を備えたことを特徴とするＡＶ機器。
【請求項３】
請求項１に記載のＡＶ機器において、
バスを介して他の機器が備える記録媒体上の記録領域を確保する場合、
バスを介して前記他の機器から記録媒体上の空き領域を含む記録領域に関する情報を取得する手段と、
前記取得した情報に基づき、所望の時刻から所望の記録領域を確保するか否かを判断する手段と、
バスを介して前記他の機器に対して、前記判断した結果記録領域を確保する場合、所望の時刻から所望の記録領域を確保する要求を送信する手段と、を備えたことを特徴とするＡＶ機器。
【請求項４】
請求項１に記載のＡＶ機器において、
バスを介して他の機器が備える記録媒体上の記録領域を確保する場合、
バスを介して前記他の機器に対して、所望の時刻から所望の時間記録可能な記録領域を確保する要求を送信する手段と、
前記他の機器から、少なくとも所望の記録領域を確保できたか否かを含む記録領域に関する情報を受信する手段と、を備えたことを特徴とするＡＶ機器。
【請求項５】
請求項１から４の何れかに記載のＡＶ機器において、
前記所望の時刻になった場合、
少なくとも前記確保した記録領域へ前記送出した信号を記録することを指示する内容を含む情報を前記他の機器へ送信する手段、を備えたことを特徴とするＡＶ機器。
【請求項６】
請求項１から４の何れかに記載のＡＶ機器において、
前記記録領域を確保する場合、
前記所望の時刻に少なくとも前記確保した記録領域へ前記送出した信号を記録することを指示する内容を含む情報を他の機器へ送信する手段、を備えたことを特徴とするＡＶ機器。
【請求項７】
画像情報あるいは音声情報の少なくとも一方を含む信号を記録媒体上に記録することが可能なＡＶ機器であって、
ある時刻に記録する記録領域に関する情報もしくは記録領域の情報を含んだ予約情報を保持する手段と、
少なくとも前記情報を除いた記録媒体上の空き領域を検出する手段と、
前記バスを介して他の機器より、ある時刻に記録するための記録領域を確保する指示を受信する手段と、
前記指示により記録領域を確保する手段と、
前記時刻になった際に該所望の記録領域に前記画像情報あるいは音声情報の少なくとも一方を含む信号を記録するために、前記時刻になるまで前記確保した記録領域を使用しない手段と、
前記指示内容に基づき前記情報の内容を更新する手段と、
前記時刻になると前記確保した記録領域に信号を記録する手段と、を備えたことを特徴とするＡＶ機器。
【請求項８】
請求項７に記載のＡＶ機器において、
前記記録領域を確保する場合、
バスを介して前記他の機器に対して、前記保持した情報や前記空き領域に関する情報を送信する手段と、
バスを介して前記他の機器から、所望の時刻から所望の時間記録するために確保する記録領域に関する情報を受信する手段と、を備えたことを特徴とするＡＶ機器。
【請求項９】
請求項７に記載のＡＶ機器において、
前記記録領域を確保する場合、
バスを介して前記他の機器から、所望の時刻から所望の時間記録可能な記録領域を確保する要求を受信する手段と、
前記保持した情報に基づき、前記所望の時刻から所望時間記録可能な領域を確保できる否かを判断する手段と、
バスを介して前記他の機器に対して前記判断した結果を送信する手段と、を備えたことを特徴とするＡＶ機器。
【請求項１０】
ＡＶ信号を送信する入力機器と、記録媒体上にＡＶ信号の記録、再生を行う関連機器と、ＡＶ信号の表示を行う表示機器と、当該複数の入力機器、関連機器、表示機器とを相互接続してＡＶ信号及び管理情報の送信又は受信を行うバスとを備えた予約録画を行うＡＶ機器システムにおいて、
上記入力機器は、
バスを介して上記関連機器に対して、所望の時刻から所望の時間記録可能な記録領域を確保する要求を送信する手段と、
バスを介して前記関連機器から、少なくとも所望の記録領域を確保できたか否かを含む記録領域に関する情報を受信する手段と、
前記確保した記録領域に関する情報を保持する手段と、
上記所望の時刻になるとバスを介して前記関連機器に対してＡＶ信号を送信する手段と、を備え、
上記関連機器は、
ある時刻に記録する記録領域に関する情報もしくは記録領域の情報を含んだ予約情報を保持する手段と、
少なくとも前記情報を除いた記録媒体上の空き領域を検出する手段と、
前記バスを介して前記入力機器から、前記記録領域確保の要求を受信する手段と、
前記保持した情報に基づき、前記所望の時刻から所望時間記録可能な領域を確保できる否かを判断する手段と、
前記判断結果で記録領域を確保可能な場合、前記所望の時刻と確保した記録領域に関する情報に基づき前記保持した情報を更新する手段と、
前記バスを介して前記入力機器に対して、前記判断結果を含む記録媒体上に確保された記録領域に関する情報を送信する手段と、
前記所望の時刻になった際に該所望の記録領域に録画するために、前記所望の時刻になるまで前記確保した記録領域を使用しない手段と、
前記所望の時刻になると前記確保した記録領域に信号を記録する手段と、を備え、
上記表示機器は、
少なくとも上記関連機器の記録領域確保の可否となる情報を表示する手段、を備えたことを特徴とする予約録画を行うＡＶ機器システム。
【請求項１１】
ＡＶ信号を送信する入力機器と、記録媒体上にＡＶ信号の記録、再生を行う関連機器と、ＡＶ信号の表示を行う表示機器と、
当該複数の入力機器、関連機器、表示機器とを相互接続してＡＶ信号及び管理情報の送信又は受信を行うバスとを備えた予約録画を行うＡＶ機器システムにおいて、
上記入力機器は、
バスを介して前記関連機器から記録媒体上の空き領域を含む記録領域に関する情報を取得する手段と、
前記取得した情報に基づき、所望の時刻から所望の記録領域を確保するか否かを判断する手段と、
前記判断した結果記録領域を確保する場合、バスを介して前記関連機器に対して、所望の時刻から所望の記録領域を確保する要求を送信する手段と、
前記確保する記録領域に関する情報を保持する手段と、
上記所望の時刻になると前記関連機器に対してＡＶ信号を送信する手段と、を備え、
上記関連機器は、
ある時刻に記録する記録領域に関する情報もしくは記録領域の情報を含んだ予約情報を保持する手段と、
少なくとも前記情報を除いた記録媒体上の空き領域を検出する手段と、
バスを介して前記入力機器に対して、前記保持した情報や前記空き領域に関する情報を送信する手段と、
バスを介して前記入力機器から、所望の時刻から所望の時間記録するために確保する記録領域に関する情報を受信する手段と、
前記受信した情報に基づき、前記記録領域を確保する手段と、
前記所望の時刻と確保した記録領域に関する情報に基づき前記保持した情報を更新する手段と、
前記所望の時間になった際に該所望の記録領域に前記予約情報に基づいて録画するために、前記所望の時刻になるまで前記確保した記録領域を使用しない手段と、
前記所望の時刻になると前記確保した記録領域に信号を記録する手段と、を備え、
上記表示機器は、
少なくとも上記関連機器の記録領域確保の可否となる情報を表示する手段、を備えたことを特徴とする予約録画を行うＡＶ機器システム。
【請求項１２】
請求項１０または１１の何れかに記載のＡＶ機器システムにおいて、
上記入力機器と上記関連機器の双方が上記確保した記録領域に関する情報を含んだ予約録画情報を格納する手段と、
前記格納した予約録画情報の内容を更新する手段と、を備えたことを特徴とする予約録画を行うＡＶ機器システム。
【請求項１３】
ＡＶ信号を送信する入力機器と、記録媒体上にＡＶ信号の記録、再生を行う関連機器と、ＡＶ信号の表示を行う表示機器と、当該複数の入力機器、関連機器、表示機器とを相互接続してＡＶ信号及び管理情報の送信又は受信を行うバスとを備えた予約録画を行うＡＶ機器システムにおいて、
上記入力機器は、
所望の時刻から所望の時間記録可能な記録領域を確保する要求を含んだ予約情報を作成する手段と、
バスを介して上記関連機器に対して、前記予約情報の設定要求を送信する手段と、
バスを介して前記関連機器から、少なくとも前記予約情報を設定できたか否かを含む情報を受信する手段と、
前記予約情報が設定できた場合に、前記予約情報を保持する手段と、
前記所望の時刻になると前記関連機器に対してＡＶ信号を送信する手段と、を備え、
上記関連機器は、
記録領域の情報を含んだ予約情報を保持する手段と、
少なくとも前記情報を除いた記録媒体上の空き領域を検出する手段と、
前記バスを介して前記入力機器から、前記予約情報を受信する手段と、
前記保持した情報と前記受信した予約情報に基づき、前記所望の時刻から所望時間記録可能な領域を確保できるか否かを判断する手段と、
前記判断結果で前記所望の時間からの使用と記録領域の確保が可能な場合、前記確保した記録領域と前記受信した予約情報の少なくとも一部を含んだ予約情報を作成し、前記保持した情報に設定する手段と、
前記バスを介して前記入力機器に対して、少なくとも前記判断結果を含んだ情報を送信する手段と、
前記所望の時刻になった際に前記所望の記録領域に前記予約情報に基づいて録画するために、前記所望の時刻になるまで前記確保した記録領域を使用しない手段と、
前記所望の時刻になると前記確保した記録領域に信号を記録する手段と、を備え、
上記表示機器は、
上記入力機器と上記関連機器の双方が保持する予約情報の内容を表示する手段と、を備えたことを特徴とする予約録画を行うＡＶ機器システム。
【請求項１４】
ＡＶ信号を送信する入力機器と、記録媒体上にＡＶ信号の記録、再生を行う関連機器と、ＡＶ信号の表示を行う表示機器と、当該複数の入力機器、関連機器、表示機器とを相互接続してＡＶ信号及び管理情報の送信又は受信を行うバスとを備えた予約録画を行うＡＶ機器システムにおいて、
上記入力機器は、
バスを介して前記他の機器から記録媒体上の空き領域を含む記録領域に関する情報を取得する手段と、
前記取得した情報に基づき、所望の時刻から所望の記録領域を確保するか否かを判断する手段と、
前記判断した結果記録領域を確保する場合、所望の時刻から所望の記録領域を確保する要求を含んだ予約情報を作成する手段と、
バスを介して前記関連機器に対して、前記作成した予約情報を設定する要求を送信する手段と、
前記作成した予約情報を保持する手段と、
上記所望の時刻になると前記関連機器に対してＡＶ信号を送信する手段と、を備え、
上記関連機器は、
記録領域の情報を含んだ予約情報を保持する手段と、
少なくとも前記情報を除いた記録媒体上の空き領域を検出する手段と、
バスを介して前記入力機器に対して、前記保持した情報や前記空き領域に関する情報を送信する手段と、
バスを介して前記入力機器から、上記予約情報の設定要求を受信する手段と、
前記受信した予約情報に基づき、前記記録領域を確保する手段と、
前記受信した予約情報を前記保持した情報に設定する手段と、
前記所望の時刻になった際に前記所望の記録領域に前記予約情報に基づいて録画するために、前記所望の時刻になるまで前記確保した記録領域を使用しない手段と、
前記所望の時刻になると前記確保した記録領域に信号を記録する手段と、を備え、
上記表示機器は、
上記入力機器と上記関連機器の双方が保持する予約情報の内容を表示する手段、を備えたことを特徴とする予約録画を行うＡＶ機器システム。
【請求項１５】
ＡＶ信号を送信する入力機器と、記録媒体上にＡＶ信号の記録、再生を行う関連機器と、ＡＶ信号の表示を行う表示機器と、当該複数の入力機器、関連機器、表示機器とを相互接続してＡＶ信号及び管理情報の送信又は受信を行うバスとを備えた予約録画を行うＡＶ機器システムの機器使用方法において、
上記入力機器が、バスを介して上記関連機器に対して、所望の時刻から所望の時間記録可能な記録領域を確保する要求を送信し、
前記要求を受信した上記関連機器は、前記所望の時刻から所望時間記録可能な領域を確保できる否かを判断し、確保可能な場合は確保した記録領域に関する情報を保持し、所望の時刻になった際に前記確保した記録領域に録画するために、前記所望の時刻になるまで前記確保した記録領域を使用することを禁止し、前記バスを介して前記入力機器に対して、前記判断結果を含む確保した記録領域に関する情報を送信し、
前記結果を受信した入力機器は、前記確保した記録領域に関する情報を保持し、上記所望の時刻になるとバスを介して前記関連機器に対してＡＶ信号を送信し、前記関連機器は受信したＡＶ信号を前記確保した記録領域に記録し、
さらに表示機器は、少なくとも上記関連機器の記録領域確保の可否となる情報を表示することを特徴とする予約録画を行う機器使用方法。
【請求項１６】
ＡＶ信号を送信する入力機器と、記録媒体上にＡＶ信号の記録、再生を行う関連機器と、ＡＶ信号の表示を行う表示機器と、当該複数の入力機器、関連機器、表示機器とを相互接続してＡＶ信号及び管理情報の送信又は受信を行うバスとを備えた予約録画を行うＡＶ機器システムの機器使用方法において、
上記入力機器が、バスを介して前記関連機器から記録媒体上の空き領域を含む記録領域に関する情報を取得し、前記取得した情報に基づき所望の時刻から所望の記録領域を確保するか否かを判断し、その結果記録領域を確保する場合、バスを介して前記関連機器に対して、所望の時刻から所望の記録領域を確保する要求を送信し、前記確保する記録領域に関する情報を保持し、
前記要求を受信した上記関連機器は、前記要求された記録領域を確保し、確保した記録領域に関する情報を保持し、所望の時刻になった際に前記確保した記録領域に録画するために、前記所望の時刻になるまで前記確保した記録領域を使用することを禁止し、
上記入力機器は、上記所望の時刻になるとバスを介して前記関連機器に対してＡＶ信号を送信し、前記関連機器は受信したＡＶ信号を前記確保した記録領域に記録し、
さらに表示機器は、少なくとも上記関連機器の記録領域確保の可否となる情報を表示することを特徴とする予約録画を行う機器使用方法。
【請求項１７】
ＡＶ信号を送信する入力機器と、記録媒体上にＡＶ信号の記録、再生を行う関連機器と、ＡＶ信号の表示を行う表示機器と、当該複数の入力機器、関連機器、表示機器とを相互接続してＡＶ信号及び管理情報の送信又は受信を行うバスとを備えた予約録画を行うＡＶ機器システムの機器使用方法において、
上記入力機器が、所望の時刻から所望の時間記録可能な記録領域を確保する要求を含んだ予約情報を作成し、バスを介して上記関連機器に対して、前記予約情報の設定要求を送信し、
前記予約設定要求を受信した上記関連機器は、自分が保持する予約情報と前記予約情報に基づき、前記所望の時刻から所望時間記録可能な領域を確保できる否かを判断し、その結果記録領域を確保できる場合は、前記確保した記録領域と前記受信した予約情報の少なくとも一部を含んだ予約情報を作成し、該予約情報を保持し、前記所望の時刻になった際に前記確保した記録領域に録画するために、前記所望の時刻になるまで前記確保した記録領域を使用することを禁止し、前記バスを介して前記入力機器に対して、前記予約情報が設定できたか否かを含む情報を送信し、
前記情報を受信した入力機器は、前記関連機器が予約情報を設定できた場合に前記予約情報を保持し、上記所望の時刻になるとバスを介して前記関連機器に対してＡＶ信号を送信し、前記関連機器は受信したＡＶ信号を前記確保した記録領域に記録し、
さらに上記表示機器は、上記入力機器と上記関連機器の双方が保持する予約情報の内容を表示することを特徴とする予約録画を行うＡＶ機器システム。
【請求項１８】
ＡＶ信号を送信する入力機器と、記録媒体上にＡＶ信号の記録、再生を行う関連機器と、ＡＶ信号の表示を行う表示機器と、当該複数の入力機器、関連機器、表示機器とを相互接続してＡＶ信号及び管理情報の送信又は受信を行うバスとを備えた予約録画を行うＡＶ機器システムの機器使用方法において、
上記入力機器は、バスを介して前記他の機器から記録媒体上の空き領域を含む記録領域に関する情報を取得し、前記取得した情報に基づき所望の時刻から所望の記録領域を確保するか否かを判断し、その結果記録領域を確保する場合、所望の時刻から所望の記録領域を確保する要求を含んだ予約情報を作成し、前記作成した予約情報を保持し、バスを介して前記関連機器に対して、前記作成した予約情報を設定する要求を送信し、
前記予約設定要求を受信した上記関連機器は、前記受信した予約情報に基づき前記記録領域を確保し、前記予約情報を保持し、前記所望の時刻になった際に前記確保した記録領域に録画するために、前記所望の時刻になるまで前記確保した記録領域を使用することを禁止し、
前記入力機器は、上記所望の時刻になるとバスを介して前記関連機器に対してＡＶ信号を送信し、前記関連機器は受信したＡＶ信号を前記確保した記録領域に記録し、
さらに上記表示機器は、上記入力機器と上記関連機器の双方が保持する予約情報の内容を表示することを特徴とする予約録画を行うＡＶ機器システム。
【発明の詳細な説明】
【０００１】
【発明の属する技術分野】
本発明は、音声情報再生機能、画像情報再生機能等を有する少なくとも２つのＡＶ機器がバス接続されてなる音響及び映像機器システム（以下、ＡＶ機器システム）の技術に関するものであり、特にＡＶ機器システムにあって、複数のＡＶ機器が関連して動作させるときに、その関連するＡＶ機器の使用を確保する機器使用技術に関するものである。
【０００２】
【従来の技術】
現在、ビデオテープレコーダー（以下、ＶＴＲ）、テレビ受信機（以下、ＴＶ）などのＡＶ機器や情報処理装置をデータや制御信号を混在させて通信することができる制御バスで接続し、機器間でデータや制御信号を送受信する通信システムとして、ＩＥＥＥ１３９４シリアルバスやＵＳＢ（Universal Serial Bus）を用いた通信システムが提案されている。
【０００３】
ＩＥＥＥ１３９４シリアルバスは、デジタルＡＶ信号のようなデータを一定の転送レートで連続的に伝送する同期（Isochronous）転送と、接続制御コマンドなどの制御信号を必要に応じて伝送する非同期（Asynchronous）転送の両方を行うことができる。
【０００４】
また、ＵＳＢは、前記同期転送と、メッセージの送受信に使用されるコントロール転送、転送レートの保証はされないが大量のデータ転送に使用されるバルク転送などがある。
【０００５】
ＩＥＥＥ１３９４シリアルバスやＵＳＢを用いたシステムでは、各機器の接続形態に応じて自動的にノードＩＤが割り付けられる。また、システムに新たに機器を追加、あるいはシステムから機器を抜いたりすると、バスリセットがかかり、新たな接続形態に対応して再度自動的にノードＩＤの割り付けが行われる。
【０００６】
さらに、ＩＥＥＥ１３９４シリアルバス上で、各種のＡＶ機器を外部からコントロールするための制御信号「AV/C Digital Interface Command Set」に関する規格化が進んでいる。
【０００７】
この様な状況下で、各種のＡＶ機器間をＩＥＥＥ１３９４シリアルバスやＵＳＢで接続し、データや制御信号を通信するシステムが構築されると、任意のＡＶ機器が他のＡＶ機器をコントロールすることが考えられる。その代表的な機能の一つとして、機器の使用を確保する機能、例えば録画や再生のタイマー予約機能が考えられる。
【０００８】
【発明が解決しようとする課題】
しかし、例えば従来のタイマー予約機能は、関係するＡＶ機器それぞれに対して、操作者がタイマー予約操作を行い、各ＡＶ機器は他のＡＶ機器の動作に一切関与することなく、設定時間が来たら一方のＡＶ機器は、相手のＡＶ機器の使用状態に関係なく画像情報や音声情報といったＡＶデータを出力する、あるいは記録開始といった動作を実行するのみであった。従って、従来、タイマー予約を設定する場合、各々の機器に対して操作者自身が予約時間に動作可能であるか否かをチェックする必要があった。
【０００９】
さらに、衛星放送番組のような有料番組をタイマー録画する際に、その番組の予期しない時間延長が発生した場合、その衛星放送受信機自体はその事態に対応できても、その番組を録画するＶＴＲ側は予め設定された終了時間が来ると、予期しない時間延長が発生し、録画時間を延長したい場合であっても録画を終了してしまっていた。
【００１０】
また、有料番組をタイマー録画する場合、タイマー予約時にはその番組の録画に必要な記録領域を持つ記録媒体（テープやディスク）を挿入していても、予約実行前にそのテープが取り出されたり、別の番組を録画することにより記録領域が不足するという事態が発生すると、正常に録画ができなかった。
【００１１】
本発明は、このような問題点を解決するために、複数の機器が連携して簡単にタイマー予約を行ったり予約管理を行うことのできるＡＶ機器使用技術を提供することを目的とする。
【００１２】
【課題を解決するための手段】
上述の課題を解決するために、以下に述べる方法を行うこととし、これを実現するＡＶ機器及びＡＶ機器システムとする。
【００１３】
第１のＡＶ機器に対して、タイマー予約等の機器使用情報が指示され、バス使用時に第１のＡＶ機器と関連して動作する機器となる第２のＡＶ機器が決定されると、両者をつなぐバスを介して第２のＡＶ機器に対してその第２のＡＶ機器を使用しようとする開始時間から終了時間における第２のＡＶ機器の使用の可否及び記録媒体の記録領域の確保の可否を問い合わせる。
【００１４】
第２のＡＶ機器では、バスを介して、この問合わせに対して、第２のＡＶ機器の機器使用情報格納手段により格納された機器使用情報と照合して機器使用の可否を決定し、また、記録媒体に記録可能な記録容量を確認して第１のＡＶ機器に返答する。
【００１５】
指定した時間に第２のＡＶ機器の使用が可能である場合、第１のＡＶ機器は、第１のＡＶ機器の機器使用情報格納手段に機器使用情報及び記録開始位置、記録容量等の記録媒体に関する情報を格納し、第２のＡＶ機器の機器使用情報格納手段にもその機器使用情報等を格納する。一方、その使用が不可能な場合には、第１のＡＶ機器は、その使用の取り消し、あるいは不可能である原因を第２のＡＶ機器に問い合わせ、重複した機器の使用の要求がある場合にはどちらを有効にするかを決定するなどの処理を行う。
【００１６】
機器使用の実行は、第１のＡＶ機器、第２のＡＶ機器において、機器使用実行時間、あるいはその数分前になったら通知するようにし、機器使用の実行を行わせるようにする。
【００１７】
また、第１のＡＶ機器に対して機器使用の内容の変更を行う場合には、第１のＡＶ機器は、既に第１のＡＶ機器の機器使用情報格納手段に格納されている機器使用情報等を読み出して、表示手段に表示させる。そして、任意の機器使用情報を変更することにより、その機器使用情報の変更に影響される第２のＡＶ機器に対して変更を通知する。第２のＡＶ機器では、第２のＡＶ機器の機器使用情報を機器使用情報格納手段より読み出し、機器使用情報等の変更を行う。
【００１８】
【発明の実施の形態】
本発明をより詳細に説明するため、添付の図面に従って、これを説明する。なお、以下に説明する実施形態は、バス使用確保技術のうちタイマー予約における機器使用確保のケースに関するものであるが、機器の使用を確保し、重複した機器使用要求を回避できるものであればタイマー予約に限ることなく、如何なるケースも含まれるものである。
【００１９】
図１は、本発明を説明するためのＡＶ機器システムにおけるタイマー予約の一構成例を示した図である。
【００２０】
この例では、通信衛星を利用した放送番組を受信する衛星放送受信機１００ａ、１００ｂと、磁気テープに映像や音声等のＡＶデータを記録するビデオテープレコーダーやＤＶＤ、ＨＤ、ＭＯ等の磁気ディスクや光ディスクにＡＶデータを記録する録画装置１１０と、テレビ受信機やパソコン用ディスプレイなどのモニタ１２０とが、ＩＥＥＥ１３９４シリアルバスやＵＳＢなどのバス１０で接続されたＡＶ機器システムを構成している。
【００２１】
以下、衛星放送受信機１００ａに対して操作者から「録画装置１１０に衛星放送番組をタイマー録画」予約が指示された場合に、衛星放送受信機１００ａと録画装置１１０において、タイマー予約とその実行を行う方法について説明する。
【００２２】
最初に、衛星放送受信機１００ａと、録画装置１１０の構成について説明する。なお、衛星放送受信機１００ｂは、衛星放送受信機１００ａと同様の構成を備える。
【００２３】
衛星放送受信機１００ａは、リモコンやタブレットなどの入力指示装置を用いて操作者からのタイマー予約設定や表示などのやり取りを行うユーザインタフェース部１０１、バス１０経由で他の機器（この場合は、衛星放送受信機１００ｂ、録画装置１１０、モニタ１２０）とＡＶデータや制御信号を通信するための通信インタフェース部１０２、衛星放送番組を受信するための衛星放送チューナー部１０３、タイマー予約に関する処理を行うタイマー予約部１０４、受信した放送番組をモニタ１２０上に再生するための再生部１０７、衛星放送受信機１００ａ内の各部の動作を制御する制御部１０８とで構成される。
【００２４】
タイマー予約部１０４は、タイマー予約に関するデータを管理する予約データ管理部１０５と、予約時間になるとアラームなどで通知する時刻管理部１０６とで構成される。
【００２５】
録画装置１１０は、リモコンやタブレットなどの入力指示装置を用いて操作者からの録画や再生、タイマー予約、表示などのやり取りを行うユーザインタフェース部１１１、バス１０経由で他の機器（この場合は、衛星放送受信機１００ａ、１００ｂ、モニタ１２０）とデータや制御信号を通信するための通信インタフェース部１１２、ＶＨＦ／ＵＨＦ放送を受信するためのＶＨＦ／ＵＨＦチューナー部１１３、ＶＨＦ／ＵＨＦ放送番組のタイマー予約に関する処理を行うタイマー予約部１１４、放送番組などのＡＶデータを磁気テープや光ディスクなどの記録メディア上に記録するための記録部１１７、記録メディア上に記録されたＡＶデータを再生するための再生部１１８、録画装置１１０の動作を制御する録画装置制御部１１９から構成される。
【００２６】
タイマー予約部１１４は、タイマー予約に関するデータを管理する予約データ管理部１１５と、予約時間になるとアラームなどで通知する時刻管理部１１６から構成される。
【００２７】
次に、図２、図３を用いて、上記衛星放送受信機１００ａの予約データ管理部１０５、および録画装置１１０の予約データ管理部１１５で管理する予約データの一構成例について説明する。
【００２８】
まず、本実施形態において操作者によりタイマー予約が指示される衛星放送受信機１００ａ（入力機器）では、機器使用情報は、予約ＩＤ２０１、予約時間（開始／終了時刻）２０２、関連機器ＩＤ２０３、各種の設定情報２０４のデータ構成をとり、これで１予約を管理する予約データとなる。
【００２９】
予約ＩＤ２０１は、入力機器１００ａ内で管理される予約データを識別するための識別子であり、予約の設定順や日時順などで唯一の番号を割り付ける。予約時間２０２は、要求された予約時間（開始／終了時刻）である。関連機器ＩＤ２０３は、予約の実行時に連携して動作する機器（関連機器）固有の識別子である。本実施形態の場合は、録画装置１１０固有のＩＤである。連携して動作する機器が必要ない場合は、自分のＩＤ（衛星放送受信機１００ａのＩＤ）やＩＤとして使用されない値を設定する。関連機器が複数存在する場合は、それらの機器全てのＩＤを設定する。各種の設定情報２０４は、入力機器と関連機器が連携してタイマー予約を設定、実行するために必要な情報、例えば、再生か録画かという実行機能の種別、チャンネル番号、ＳＰ、ＬＰ、ＥＰといった録画速度モード、アナログかデジタルかという録画モードなどである。
【００３０】
次に、予約実行時に衛星放送受信機１００ａと連携して動作する録画装置１１０（関連機器）では、予約ＩＤ３０１、予約時間（開始／終了時刻）３０２、入力機器ＩＤ３０３、関連機器の各種設定情報３０４のデータ構成で１予約を管理する。
【００３１】
予約ＩＤ３０１は、関連機器１１０内で管理される予約データを識別するための識別子であり、予約の設定順や日時順などで唯一の番号を割り付ける。予約時間３０２は、要求された予約時間（開始／終了時刻）である。入力機器ＩＤ３０３は、予約を受け付け、実行時に連携して動作する機器（入力機器）固有の識別子である。本実施形態の場合は、衛星放送受信機１００ａ固有のＩＤである。自分で予約を受け付け、連携して動作する機器が必要ない場合は、録画装置１１０のＩＤやＩＤとして使用されない値を設定する。各種の設定情報３０４は、録画装置１１０がタイマー予約を設定、実行するために必要な情報、例えば、再生か録画かという実行機能、ＳＰ、ＬＰ、ＥＰといった録画速度モード、アナログかデジタルかという録画モードなどである。
【００３２】
次に、図４、図５を用いて、上記ＡＶ機器システムでタイマー予約処理を行う手順について説明する。
【００３３】
最初に、操作者により衛星放送受信機１００ａに対してリモコン、入力タブレットなどの入力指示装置を利用してユーザインタフェース部１０１を介してタイマー予約指示と予約内容４００を入力し（ステップ５０１）、その予約実行が衛星放送受信機１００ａ以外の他の機器と連携して行われる内容の場合にその制御対象となる関連機器（本実施形態では録画装置１１０）を決定する（ステップ５０２）。
【００３４】
図６に、ステップ５０１、ステップ５０２において、モニタ１２０やリモコンの液晶画面に表示される画面例を示す。まず、操作者によりリモコン６００上の番組ガイド指示器６０１を指示すると、番組ガイドを表示した画面６１０を表示する。画面６１０上で、方向指示器６０２を用いて予約番組が選択し、登録指示器６０６で登録を指示すると、実行機能を選択する画面６２０を表示する。画面６２０上で、方向指示器６０２を用いて予約の実行機能（再生か録画）を選択し、決定指示器６０４で決定を指示する。ここで、録画を選択すると、録画する機器、すなわち関連機器を選択する画面６３０を表示する。画面６３０上には、バス１０に接続された機器のうち、録画機能を備えた機器に関する情報（ＶＴＲやＤＶＤといった種類、製造会社名等）が表示される。
【００３５】
本実施形態のシステム（図１）の場合、バス上の録画装置は１台だけなので、録画装置１１０に関する情報のみが表示される。
【００３６】
ここで、決定指示器６０４で決定を指示すると、テープ速度や録画モードを選択する画面６４０が表示される。画面６４０上でテープ速度、録画モードを選択し、決定指示器６０４で決定を指示すると、録画予約に関する情報設定は完了する。
【００３７】
次に、衛星放送受信機１００ａ内のタイマー予約部１０４は、制御部１０８、通信インターフェース部、バスを介して、関連機器（録画装置１１０）のタイマー予約部１１４に対して指定予約時間に使用予定があるか否か、すなわち予約データを予約データ管理部１１５に格納できるか否かを問い合わせる（ステップ５０３）。このとき、少なくとも関連機器を使用しようとする使用開始時間と使用終了時間の情報を送信することで問い合わせを行うが、使用予定を問い合わせと同時に、予約データそのものの内容を送信するようにしても良い。
【００３８】
その結果、録画装置１１０から指定時間に使用予定がない旨が通知された場合には、入力された予約内容４００を元に、予約データ管理部１０５は予約データ４１０を作成し、管理する（ステップ５０４）。ここで、予約データ４１０は、入力機器１００ａ内での予約データのＩＤ４１１と、予約内容４００における予約時間４１２と、バス上における関連機器１１０固有のＩＤ４１３と、実行機能、チャンネル番号、番組名、テープ速度、録画モードの各種設定情報４１４から構成される。
【００３９】
それと同時に、入力機器１００ａは、予約データ４２０を作成するために必要な情報を関連機器１１０のタイマー予約部１１４に送信し、予約データ４００の設定要求を発行する（ステップ５０５）。これに対し、設定要求を受信した関連機器１１０のタイマー予約部１１４では、予約データ４２０を作成し、予約データ管理部１１５で管理する。
【００４０】
ここで、予約データ４２０は、関連機器１１０内での予約データのＩＤ４２１と、予約内容４００における予約時間４２２と、バス上における入力機器１００ａ固有のＩＤ４２３と、実行機能、チャンネル番号、番組名、テープ速度、録画モードの各種設定情報４２４から構成される。
【００４１】
ステップ５０３において、関連機器１１０から指定時間に使用予定がある旨が通知された場合には、操作者に対してタイマー予約をやり直すか否かを問い合わせ（ステップ５０６）、やり直す場合はステップ５０１に戻り、やり直さない場合は処理を終了する。図７に、操作者に対する問い合わせをするときの画面例を示す。画面７００上で、選択項目７０１を指示するとステップ５０１に戻り、選択項目７０２を指示すると処理を終了する。
【００４２】
ここで、ステップ５０２において、関連機器１１０に関する情報は、入力機器１００ａの制御部１０８が、バスリセット時や定期的にバス上に存在し関連機器となる機器を取得し、管理する。関連機器がバス１０上に１台しか存在しない場合は、自動的にその機器を関連機器１１０として決定することができる。また、バス１０上に２台以上存在する場合は、それらの機器をモニタ１２０やリモコンの液晶画面などに表示し、予約する毎に操作者により決定することもできる。また、制御部１０８で管理する関連機器に対して予め各機器の使用優先順位を決めておき、それを制御部１０８で記録し、それを参照して自動的に機器を決定することもできる。また、関連機器に搭載された記録媒体（ＶＨＳテープ、ＳＶＨＳテープ、光磁気ディスクなど）や操作者から指定された録画モード（アナログ、デジタルなど）により、制御部１０８が管理する関連機器情報の中から自動的に適切な機器を決定することもできる。例えば、操作者によりデジタル録画が指示されると、制御部１０８は関連機器情報の中からデジタル録画が可能でＳＶＨＳテープが搭載されているものを選出し、それを関連機器とする。
【００４３】
また、ステップ５０３において、衛星放送受信機１００ａが関連機器１１０のタイマー予約部１１４で管理されている予約データ３００を読み出し、指定予約時間に使用予定があるかをチェックすることもできる。
【００４４】
図８は、入力機器１００ａが関連機器１１０の予約状況を表示する一例である画面８００を示している。
【００４５】
また、ステップ５０５において、衛星放送受信機１００ａの予約データ管理部１０５が予約データ４２０を作成し、録画装置１１０のタイマー予約部１１４に対して送信すると、関連機器１１０のタイマー予約部１１４にて予約データ４２０予約データ管理部１１５に設定するようにすることもできる。さらに、衛星放送受信機１００ａ内の制御部１０８が直接関連機器１１０の予約データ管理部１１５に予約データ４２０を設定することもできる。
【００４６】
また、ステップ５０６において、既に録画装置１１０側に使用予定がある場合、予定を操作者に通知し、どちらの予約を優先させるかを決定することもできる。その場合、取り消された予約については、取り消された側の機器が予約に関する予約データを持つ機器全ての予約データを削除するようにする。図９に、操作者に予約が重複している旨を通知し、どちらを優先させるか決定してもらう画面例９００を示す。画面９００上で、選択項目９０１を指示すると、衛星放送受信機１００ａのタイマー予約部１０４は録画装置１１０のタイマー予約部１１４に対して既に設定済みの予約を削除する要求を送信する。これに対し、録画装置１１０のタイマー予約部１１４は、予約データ管理部１１５から予約に関する予約データを取得し、予約データを削除するとともに、予約に係る予約データを持つ機器全ての予約データを削除する。
【００４７】
選択項目９０２を指示すると、画面６１０〜６４０で指示したタイマー予約を取り消す。また、衛星放送番組などの有料番組に対しては自動的に予約を優先させるなど、入力機器１００ａの制御部１０８に予め優先順位を格納し、タイマー予約時にその内容を参照する方法など、重複予約に対する各種の調停処理を行うことも当然可能である。
【００４８】
次に、図１０に、入力機器、すなわち衛星放送受信機１００ａにおいて、タイマー予約設定済みの予約内容一覧を表示する画面例を示す。
【００４９】
まず、操作者によりリモコン６００上の確認指示器６０５を指示すると、タイマー予約部１０４は、衛星放送受信機１００ａ内の予約データ管理部１０５に格納された予約データ２００を読みだし、ユーザインタフェース部１０１を介してモニタ１２０上に画面１０００を表示する。画面１０００上には、１予約について、予約番号、日付、予約時間、チャンネル、番組名、実行する機能などの項目で表示する。さらに詳しい内容を見るために詳細指示器６０３を指示すると、画面１０２０が表示される。画面７２０上には、画面１０００上で表示できなかった項目を含んだ内容が表示される。
【００５０】
次に、タイマー予約設定済みの内容を変更する場合の処理について説明する。画面１０００上に表示する予約内容の中から、任意の予約を選択し、変更指示器６０６で変更を指示すると、予約の変更画面１０１０を表示する。画面１０１０上で予約の削除、あるいは時間や実行機能などの変更が指示されると、衛星放送受信機１００ａ内のタイマー予約部１０４は、予約データ管理部１０５に格納された予約に関する内容を削除、あるいは変更を行う。そして、予約実行時に連携して動作する他の機器（この場合録画装置１１０）のタイマー予約部１１４に対して、予約に関する予約データの内容を削除、あるいは変更するように要求する。
【００５１】
これに対し、録画装置１１０のタイマー予約部１１４では、予約データ管理部１１５に格納された予約に関する予約データを検索し、その内容を削除あるいは変更を行う。ここで、衛星放送受信機１００ａのタイマー予約部１０４が、録画装置１１０内の予約データ管理部１１６に格納された予約データを取得し、その中から予約に関する予約データを検索し、その内容を削除あるいは変更を行った後、再度予約データ管理部１１５に書き込むこともできる。
【００５２】
また、図１１に、関連機器、すなわち録画装置１１０において、タイマー予約設定済みの予約内容一覧を表示する画面例を示す。
【００５３】
操作者により予約内容の確認あるいは変更が指示されると、録画装置１１０内のタイマー予約部１１４は、予約データ管理部１１５に格納された予約情報を読みだし、ユーザインタフェース部１１１を介してモニタ１２０上に画面１１００を表示する。画面１１００上には、録画装置１１０内蔵のＶＨＦ／ＵＨＦチューナー部１１３から受信する放送番組のタイマー録画予約と、衛星放送受信機１００ａ、１００ｂで受信する放送番組のタイマー録画予約とが同時に表示される。両者の区別は、図８の１１１０に示すように★印を付加したり、受信機名を表示するなどで行う。
【００５４】
次に、バスリセットがかかったり、接続機器が引き抜かれたりするなどＡＶ機器システムの構成が変化した場合の処理について、図１２を用いて説明する。
【００５５】
まず、ＡＶ機器システムの構成の変化を認識した各機器のタイマー予約部１０４、１１４は、予約データ管理部１０５、１１５で管理された予約データ２００あるいは３００を読み込み（ステップ１２０１）、各内容のチェックを行う。そして、予約データ内の入力機器ＩＤ３０３あるいは関連機器ＩＤ２０３を参照し、その値が自分の機器ＩＤ以外であれば、入力機器ＩＤ３０３あるいは関連機器ＩＤ２０３が示す機器に対して状態（存在するか、あるいは使用可能であるかなど）を問い合わせる（ステップ１２０２）。その結果、問い合わせ先の機器が使用できない状態であれば、予約データを実行できない旨を操作者に通知し、予約の取り消しを行う、あるいは自動的に予約データを削除する（ステップ１２０３）。これにより、システム構成が変化した場合でも、それに応じて予約データを円滑に管理することができる。図１３に、問い合わせ先の機器が使用できない状態にそれを操作者に通知する画面例１３００を示す。画面１３００上で、選択項目１３０１を指示すると、タイマー予約部１０４、１１４は、予約データを削除する。選択項目１３０２を指示すると、問い合わせ機器が使用できる状態になるまで画面１３００の表示を続ける。
【００５６】
次に、ステップ５０３、ステップ５０５、ステップ１２０２において、バス１０上で衛星放送受信機１００ａから録画装置１１０への問い合わせ、および録画装置１１０から衛星放送受信機１００ａへの応答を伝送するための制御信号のパケット構造について、その一構成例を図１４に示す。
【００５７】
衛星放送受信機１００ａから録画装置１１０に対して予約データの設定や取得を要求する場合は、コマンドパケット１４００を利用する。
【００５８】
コマンドパケット１４００は、コマンド送信元アドレス１４０１、コマンド送信元サブユニットのアドレス１４０２、コマンド受信先アドレス１４０３、コマンド受信先サブユニットのアドレス１４０４、コマンド内容１４０５から構成される。
【００５９】
コマンド送信元アドレス１４０１は、送信コマンドを発行する機器のバス１０上における唯一のアドレスを示し、本実施形態の場合は、衛星放送受信機１００ａのバス１０上におけるアドレスである。
【００６０】
コマンド送信元サブユニットのアドレス１４０２は、コマンドを発行する機器内の機能単位（チューナー部やタイマー予約部等）のアドレスである。本実施形態の場合は、衛星放送受信機１００ａ内のタイマー予約部１０４のアドレスである。
【００６１】
コマンド受信先アドレス１４０３は、コマンドを受信する機器のバス１０上における唯一のアドレスを示し、本実施形態の場合は、録画装置１１０のバス１０におけるアドレスとなる。
【００６２】
コマンド受信先サブユニットのアドレス１４０４は、コマンドを受信する機器内の機能単位（チューナー部やタイマー予約部等）のアドレスである。本実施形態の場合は、録画装置１１０内のタイマー予約部１１４のアドレスである。
【００６３】
コマンド内容１４０５は、コマンド受信先のタイマー予約部（この場合、録画装置１１０内のタイマー予約部１１４）に対する予約データの書き込み要求や読み出し要求、変更要求とその内容を示す。
【００６４】
これに対し、録画装置１１０から衛星放送受信機１００ａへの応答は、レスポンスパケット１４１０を利用する。
【００６５】
レスポンスパケット１４１０は、レスポンス送信元アドレス１４１１、レスポンス送信元サブユニットのアドレス１４１２、レスポンス受信先アドレス１４１３、レスポンス受信先サブユニットのアドレス１４１４、レスポンス内容１４１５から構成される。
【００６６】
レスポンス送信元アドレス１４１１は、レスポンスを発行する機器のバス１０上における唯一のアドレスを示し、本実施形態の場合は、録画装置１１０のバス１０上におけるアドレスとなる。
【００６７】
レスポンス送信元サブユニットのアドレス１４１２は、レスポンスを発行する機器内の機能単位（チューナー部やタイマー予約部等）のアドレスである。本実施形態の場合は、録画装置１１０内のタイマー予約部１１４のアドレスである。
【００６８】
レスポンス受信先アドレス１４１３は、レスポンスを受信する機器のバス１０上における唯一のアドレスを示し、本実施形態の場合は衛星放送受信機１００ａのバス１０におけるアドレスとなる。
【００６９】
レスポンス受信先サブユニットのアドレス１４１４は、レスポンスを受信する機器内の機能単位（チューナー部やタイマー予約部等）のアドレスである。本実施形態の場合は、衛星放送受信機１００ａ内のタイマー予約部１０４のアドレスである。
【００７０】
レスポンス内容１４１５は、レスポンス受信先のタイマー予約部（この場合、録画装置１１０内のタイマー予約部１１４）に対する予約データの書き込み要求や読み出し要求、変更要求に対して、予約データの内容や変更結果などの応答を示す。
【００７１】
以上のように、本実施形態では、衛星放送受信機１００ａ、１００ｂと録画装置１１０が制御バス１０で接続されたシステムにおいて、衛星放送受信機１００ａ、１００ｂと録画装置１１０に予約データ管理部１０５、１１５を含むタイマー予約部１０４、１１４を設け、バス１０上で存在する全タイマー予約の中で各々に関わる予約を実行する全機器が各々で管理する。
【００７２】
例えば、上述したように、衛星放送受信機１００ａでタイマー予約が指示されると、タイマー予約部１０４は、予約データの内容を予約データ管理部１０５に格納すると同時に、連携して動作する録画装置１１０の予約データ管理部１１５に対しても格納処理を行う。
【００７３】
これにより、衛星放送受信機１００ａ、録画装置１１０以外の機器、例えば衛星放送受信機１００ｂで、録画装置１１０と連携して動作するタイマー予約指示があった場合、録画装置１１０の予約データ管理部１１５に対して問い合わせを行うだけで、バス１０上に存在する録画装置１１０を使用した予約状況を全て把握することができる。
【００７４】
また、後に詳述するが、別の機器から衛星放送受信機１００ａと連係して動作するタイマー予約指示があった場合には、衛星放送受信機１００ａの予約データ管理部１０５に対して問い合わせを行うだけで、バス１０上に存在する衛星放送受信機１００ａを使用した予約状況を全て把握することができる。
【００７５】
また、予約データ管理部１０５、１１５で格納する予約データは、入力機器ＩＤ３０３、あるいは関連機器ＩＤ２０３を含んだ構成とする。
【００７６】
これにより、各予約データを予約した機器や連携して予約を実行する機器を識別することができるため、システムの構成変更や予約の重複時や変更時に予約を取り消す処理などを行う際の対処が容易になる。
【００７７】
ここで、予約の実施形態としては、予約実行時間になると、衛星放送受信機１００ａ及び録画装置１１０がそれぞれ格納した予約データに基づいて個別にそれぞれの予約実行を行う構成をとることができる。また、衛星放送受信機１００ａに録画装置１１０をリモート制御する機能を備え、予約実行時間になると衛星放送受信機１００ａが録画装置１１０をリモート制御して予約実行を行う構成をとることもできる。この場合、衛星放送受信機１００ａ内の予約データ管理部１０５で管理する予約データ２００内には、関連機器ＩＤ２０３に加え、機器をリモート制御するか否かを示すデータを追加しても良い。
【００７８】
また、録画装置１１０内の予約データ管理部１１５で管理する予約データ３００内には、入力機器ＩＤ３０３に加え、機器によりモート制御されるか否かを示すデータを追加しても良い。
【００７９】
次に、図１５を用いて、衛星放送番組など有料番組のタイマー録画予約について説明する。
【００８０】
上述のタイマー予約手順にしたがって、衛星放送受信機１００ａ内の予約データ管理部１０５では、予定開始時刻１５０１、予定終了時刻１５０２であるスポーツ中継などの有料番組１５１０と、その後に予定開始時刻１５０４の番組１５２０の予約データが格納されているものとする。
【００８１】
タイマー予約部１０４は、予約されている有料番組１５１０の予定開始時刻１５０１が数分前になると、最も新しい番組ガイドなどを取得し、番組１５１０が予定通りの時刻に開始されるか否かをチェックする。
【００８２】
ここで、タイマー予約部１０４は一定の時間間隔で新しい番組ガイドを取得する方法もある。
【００８３】
番組１５１０が予定通りの時間に開始される場合は、予定開始時刻１５０１になると、録画装置１１０と連携して番組の録画を開始する。
【００８４】
これに対し、番組１５１０が予定より遅れて開始される場合は、その終了時刻を取得し、後に予約されている番組１５２０の予定開始時刻１５０４と終了時刻が重複しないかチェックする。そして、重複する場合は、その旨を操作者に通知する。
【００８５】
図１６に、モニタ１２０に表示する画面例１６００を示す。画面１６００上で選択項目１６０１を指示すると、衛星放送受信機１００ａ内のタイマー予約部１０４は、予約番組１５１０に関する予約データ２００内の予約時間２０２を変更し、予約番組１５２０に関する予約データ２００を削除する。それと同時に、録画装置１１０内のタイマー予約部１１４に対して、予約番組１５１０に関する予約データ３００内の予約時間３０２の変更要求と予約番組１５２０に関する予約データ２００の削除要求を送信する。
【００８６】
これに対し、録画装置１１０内のタイマー予約部１１４は、予約データ管理部１１５に格納された予約番組１５１０に関する予約データ３００内の予約時間３０２を変更し、予約番組１５２０に関する予約データ３００を削除する。選択項目１６０２を指示した場合には、予約番組１５２０は途中から録画されることになるが、どちらを優先させるかを操作者が選択することもできる。
【００８７】
次に、予定開始時刻１５０１から予約番組１５１０の録画が開始され、その予定終了時刻１５０２の数分前になると、衛星放送受信機１００ａ内のタイマー予約部１０４は、最も新しい番組ガイドなどを取得し、番組１５１０が予定通りの時刻１５０２に終了するか否かをチェックする。ここで、タイマー予約部１０４は、一定の時間間隔で新しい番組ガイドを取得する方法もある。
【００８８】
番組１５１０が予定通りの時間に終了する場合は、予定終了時刻１５０２になると、録画装置１１０と連携して番組の録画を終了する。
【００８９】
これに対し、スポーツ中継のように、番組１５１０が予定終了時刻より延長される場合、衛星放送受信機１００ａ内のタイマー予約部１０４は、モニタ１２０上に画面１６００を表示するなど、その旨を操作者に通知する。そして画面１６００上で選択項目１６０１が指示されると、衛星放送受信機１００ａ内のタイマー予約部１０４は、予約番組１５２０に関する予約データ２００を削除し、録画装置１１０内のタイマー予約部１１４に対して予約番組１５２０に関する予約データ２００の削除要求を送信する。
【００９０】
そして、予約番組１５１０が終了するまで監視し、番組１５１０が終了すると、その旨を録画装置１１０内のタイマー予約部１１４に送信する。これに対し、録画装置１１０内のタイマー予約部１１４は、予約データ管理部１１５に格納された予約番組１５２０に関する予約データ３００を削除する。そして、衛星放送受信機１００ａより番組終了の通知があるまで録画を継続する。選択項目１６０２が指示されると、予約番組１５２０は途中から録画、あるいは、どちらを優先させるかを操作者に選択してもらう。
【００９１】
以上から、予約番組の予期しない時間延長が発生した場合でも、柔軟に対応できる。以上説明した例では、操作者に通知して予約データ２００を削除するようにしたが、予約データ１５１０を設定するときに予め優先順位をつけておき、番組延長等の不慮の予約データの変更があった場合には、この優先順位に基づいてタイマー予約部が自動的に予約データ２００を削除するようにすることもできる。
【００９２】
ここで、上述のシステム構成では、衛星放送受信機１００ａが入力機器となり、録画装置１００が関連機器であったが、録画装置１１０が入力機器となり、衛星放送受信機１００ａが関連機器となる構成も考えられる。この場合、録画装置１１０でタイマー予約が指示され、録画装置１１０内の予約データ管理部１１５と衛星放送受信機１００ａ内の予約データ管理部１０５に予約データを格納する。録画装置１１０内の予約データ管理部１１５では予約データ２００を、衛星放送受信機１００ａ内の予約データ管理部１０５では予約データ３００を管理するようにした点が異なるのみで、一連の処理手順については先の実施形態で説明したものと同様となる。
【００９３】
次に、図１７に示すように、色々な機器がバス接続されたシステムの場合について説明する。
【００９４】
システムは、パーソナルコンピュータ（以下、ＰＣ）１７０１、ＤＶＤを再生あるいは記録するＤＶＤ録画再生装置１７０２、ＭＤを再生あるいは記録するＭＤ録音再生装置１７０３、衛星放送を受信する衛星放送受信機１７０４、磁気テープを再生あるいは記録するＶＴＲ１７０５、ケーブル放送を受信するケーブル放送受信機１７０６、ＡＶデータを表示するＴＶなどのモニタ１７０７から構成される。
【００９５】
各機器１７０１〜１７０７には、前述のタイマー予約部を備える。そして、入力機器となる機器は、操作者よりタイマー予約指示があると、予約データ２００を生成して機器内のタイマー予約部に格納すると同時に、連携して動作する関連機器に対しても予約データ３００を生成し機器内のタイマー予約部に格納することを要求する。これにより、入力機器となる機器は、目的とする関連機器をタイマー予約する際には、関連機器のタイマー予約部に対してのみ、使用できるか否かを問い合わせるだけで良い。
【００９６】
図１８に、衛星放送受信機１７０４に対して、タイマー予約状況を確認する際に表示される番組予約一覧画面１８００を示す。画面１８００上には、タイマー予約部で管理されている予約データ２００を読み出し、予約データ２００に関する情報（日付、予約時間、チャンネル、番組名、実行機能）を表示する。ここで、本システムでは、録画する装置として、ＤＶＤ１７０２、ＭＤ１７０３、ＶＴＲ１７０５がある。画面１８００では、実行機能が録画の場合に、１８０１で示すように、予約データ２００内の関連機器ＩＤ２０３を参照して、どの機器に録画するかを表示する。
【００９７】
これと同様に、ＤＶＤ１７０２では、情報を供給する機器として、ＰＣ１７０１、衛星放送受信機１７０４、ケーブル放送受信機１７０６がある。従って、図１９に示すように、ＤＶＤ１７０２に対してタイマー予約状況を確認する際に表示される画面１９００では、予約データ３００内の入力機器ＩＤ３０３を参照して、予約内容を供給する機器に関する情報１９０１を表示することも可能である。
【００９８】
さらに、図２０に示すように、衛星放送受信機とＶＴＲが一体型になり、入力および関連機器としての機能を備えている場合について説明する。本システムは、衛星放送受信機−ＶＴＲ一体型装置２０００、ＤＶＤ２０２０、モニタ２０３０、ケーブル放送受信機２０４０から構成される。
【００９９】
まず、衛星放送受信機−ＶＴＲ一体型装置２０００の構成について説明する。一体型装置２０００は、リモコンやタブレットなどの入力指示装置を用いて操作者からの録画や再生、タイマー予約、表示などのやり取りを行うユーザインタフェース部２００１、バス経由で他の機器（この場合は、ＤＶＤ２０２０、モニタ２０３０、ケーブル放送受信機２０４０）とデータや制御信号を通信するための通信インタフェース部２００２、衛星放送を受信する衛星放送チューナー部２００３、ＶＨＦ／ＵＨＦ放送を受信するＶＨＦ／ＵＨＦチューナー部２００４、放送番組などを磁気テープに記録する記録部２００５、磁気テープに記録されたＡＶデータを再生したり実際に放送番組をモニタ２０３０上に再生する再生部２００６、各構成部の動作を制御する制御部２００７、衛星放送番組やＶＨＦ／ＵＨＦ放送番組のタイマー予約に関する処理を行うタイマー予約部２０１０から構成される。ここで、制御部２００７は、衛星放送やＶＨＦ／ＵＨＦ放送を視聴するための制御を行うチューナ制御部２００８と、放送番組などを録画したり再生するための制御を行うＶＴＲ制御部２００９を含んだ構成になる。また、タイマー予約部２０１０は、前述と同様に、予約データ管理部２０１１、時刻管理部２０１２から構成される。
【０１００】
一体型装置２０００は、放送番組をＤＶＤ２０２０にタイマー録画する場合は、入力機器として動作することができ、またケーブル放送受信機２０４０で受信した番組を一体型装置２０００にタイマー録画する場合は、関連機器として動作することが可能となる。この場合に、予約データ管理部２０１１で管理する予約データの一構成例を図２１に示す。
【０１０１】
予約データ２１００は、予約ＩＤ２１０１、予約時間（開始／終了時刻）２１０２、入力機器ＩＤ２１０３、関連機器ＩＤ２１０４、各種の設定情報２１０５から構成される。
【０１０２】
予約ＩＤ２１０１は、予約データ管理部２０１１で管理する予約データを識別するための唯一の識別子である。予約時間２１０２は、要求された予約時間（開始／終了時刻）である。
【０１０３】
入力機器ＩＤ２１０３は、予約を受け付け、実行を行う機器のバス１０上における唯一の識別子である。放送番組をＤＶＤ２０２０にタイマー録画する場合、入力機器は一体型装置２０００であるので、一体型のＩＤを設定する。ケーブル放送受信機２０４０で受信した番組を一体型装置２０００にタイマー録画する場合、入力機器はケーブル放送受信機２０４０であるので、ケーブル放送受信機２０４０のＩＤを設定する。
【０１０４】
関連機器ＩＤ２１０４は、予約に対して連携して動作する機器のバス１０上における唯一の識別子である。放送番組をＤＶＤ２０２０にタイマー録画する場合、関連機器はＤＶＤ２０２０であるので、ＤＶＤのＩＤを設定する。ケーブル放送受信機２０４０で受信した番組を一体型装置２０００にタイマー録画する場合、関連機器は一体型装置２０００であるので、一体型装置２０００のＩＤを設定する。
【０１０５】
各種の設定情報２１０５は、タイマー予約を設定、実行するために必要な情報、例えば、再生か録画かという実行機能、チャンネル番号、ＳＰ、ＬＰ、ＥＰといった録画速度モード、アナログかデジタルかという録画モードなどである。
【０１０６】
以上により、予約を受け付け、実行する入力機器ＩＤ２１０３、および連携して動作する関連機器ＩＤ２１０４を含む予約データ２１００を、予約データ管理部２０１１で管理することにより、予約がどこで実行され、どの機器と連携して動作するかを把握することができ、各機器間でタイマー予約の管理が容易になる。
【０１０７】
次に、図２２から図４２を用いて、衛星放送番組など有料番組をより確実にタイマー録画予約し、その予約を実行できるようにするための方法について説明する。
【０１０８】
図２２は、本方法を用いるＡＶ機器システムの一例である。本システムは、衛星放送を受信する衛星放送受信機２２１０、ＤＶＤを再生あるいは記録するＤＶＤ録画再生装置２２２０、ＭＤを再生あるいは記録するＭＤ録音再生装置２２３０、ＡＶデータを表示するＴＶなどのモニタ２２４０、磁気テープを再生あるいは録画するＶＴＲ２２５０から構成される。各機器２２１０〜２２５０は、前述のタイマー予約部を備えており、データの送受信を通信インタフェース部、制御部及びタイマー予約部により行う点で上述のＡＶ機器システムと変わるところはない。
【０１０９】
本実施形態では、衛星放送受信機２２１０を入力機器として、操作者よりタイマー予約録画が指示された場合について説明する。
【０１１０】
まず、図２３を用いて、上記衛星放送受信機である入力機器２２１０で管理する記録実行情報の一構成例について説明する。記録実行情報２３００は、予約ＩＤ２３１０、予約時間（開始／終了時刻）２３２０、関連機器ＩＤ２３３０、記録メディア情報（種別／ＩＤ）２３４０、記録領域に関する設定情報２３５０、各種の予約設定情報２３６０のデータ構成をとり、これで１予約データとなる。
【０１１１】
予約ＩＤ２３１０は、衛星放送受信機すなわち入力機器２２１０内で管理される予約データを識別するための識別子であり、予約の設定順や日時順などで唯一の番号を割り付ける。予約時間２３２０は、要求された予約時間（開始／終了時刻）である。関連機器ＩＤ２３３０は、予約実行時に連携して動作する関連機器の識別子であり、本システムではＤＶＤ録画再生装置２２２０やＭＤ録音再生装置２２３０、ＶＴＲ２２５０などの録画装置のＩＤである。記録メディア情報２３４０は、記録メディアに関する情報であり、記録メディアの種類（例えば、ＤＶＤ、ＭＤ、ＶＨＳテープ、Ｓ−ＶＨＳテープなど）や、個々のメディアを識別するための識別子（例えば、メディア毎に書き込まれた固有番号や製造番号など）である。記録領域に関する設定情報２３５０は、予約番組を録画するために確保した必要な記録領域に関する情報、例えば、録画開始位置や確保した領域サイズ、作成したファイル名などである。各種の予約設定情報２３６０は、録画装置２２２０、２２３０、２２５０がタイマー予約を設定、実行するために必要な情報、例えば、再生か録画かという実行機能、ＳＰ、ＬＰ、ＥＰといった録画速度モード、アナログかデジタルかという録画モードなどである。
【０１１２】
次に、図２４を用いて、上記録画装置２２２０、２２３０、２２５０で管理する記録実行情報の一構成例について説明する。
【０１１３】
記録実行情報２４００は、予約ＩＤ２４１０、予約時間（開始／終了時刻）２４２０、入力機器ＩＤ２４３０、記録メディア情報（種別／ＩＤ）２４４０、記録領域に関する設定情報２４５０、各種の設定情報２４６０のデータ構成をとり、これで１予約データとなる。
【０１１４】
予約ＩＤ２４１０は、上記録画装置である関連機器２２２０、２２３０、２２５０内で管理される予約データを識別するための識別子であり、予約の設定順や日時順などで唯一の番号を割り付ける。予約時間２４２０は、要求された予約時間（開始／終了時刻）である。入力機器ＩＤ２４３０は、予約を受け付け、実行時に連携して動作する入力機器の識別子であり、本システムでは衛星放送受信機２２１０のＩＤである。記録メディア情報２４４０は、記録メディアに関する情報であり、記録メディアの種類（例えば、ＤＶＤ、ＭＤ、ＶＨＳテープ、Ｓ−ＶＨＳテープなど）や、個々のメディアを識別するための識別子（例えば、メディア毎に書き込まれた固有番号や製造番号など）である。記録領域に関する設定情報２４５０は、予約番組を録画するために確保した必要な記録領域に関する情報、例えば、録画開始位置や確保した領域サイズ、作成したファイル名などである。各種の予約設定情報２４６０は、録画装置２２２０、２２３０、２２５０がタイマー予約を設定、実行するために必要な情報、例えば、再生か録画かという実行機能、ＳＰ，ＬＰ、ＥＰといった録画速度モード、アナログかデジタルかという録画モードなどである。
【０１１５】
次に、図２５を用いて、本システムでタイマー予約録画処理を行う手順について説明する。まず、タイマー予約を指示する側の衛星放送受信機２２１０が行う手順について説明する。
【０１１６】
最初に、操作者により衛星放送受信機２２１０に対してリモコン、入力タブレットなどの入力指示装置を利用してタイマー予約録画指示と予約内容を入力すると（ステップ２５０１）、衛星放送受信機２２１０はバス１０上に接続された機器の中から番組録画が可能な録画装置を抽出する（ステップ２５０２）。そして、これらの録画装置に対して指定予約時間に使用予定があるか否かを問い合わせ、使用予定のない録画装置を抽出する（ステップ２５０３）。次に、これらの録画装置に対して、現在セットしている記録メディア（テープやディスク）に指定番組を録画するために必要な容量があるか否かを問い合わせ、録画可能な容量を持つ記録メディアがセットされた録画装置を抽出する（ステップ２５０４）。そして、これらの録画装置の中から、予約実行時に番組を録画する装置となる関連機器を決定する（ステップ２５０５）。
【０１１７】
図２６に、ステップ２５０４において、モニタ２２４０や図６に示したようなリモコンの液晶画面などに表示される画面例を示す。画面２６００上には、同一バス１０上に接続された録画装置２２２０、２２３０、２２５０に関する情報を表示する。アイコン２６０１はＤＶＤ録画再生装置２２２０、アイコン２６０２はＶＴＲ２２５０、アイコン２６０３はＭＤ録音再生装置２２３０を示し、各録画装置が選択可能であるかを表す。例えば、記録メディアがセットされていない、録画する番組のデータ形式をサポートしていない、現在ロックされた状態にある、などの録画装置は画面２６００上で選択できないように、アイコンを半輝度やグレー表示などで表す。画面２６００では、ＭＤ録音再生装置２２３０のアイコン２６０３が該当する。また、このようなアイコン２６０３を表示しないようにしてもよい。
【０１１８】
画面２６００上で、リモコン６００の方向指示器６０２を用いてアイコンを選択し、リモコン６００の詳細指示器６０３で「詳細」を指示すると（画面上のガイドライン２６０４）、選択したアイコンに対応した録画装置に関する情報を表示する。
【０１１９】
図２７に、アイコン２６０１を選択した場合に表示されるＤＶＤ録画再生装置２２２０に関する情報の画面２７００を示す。画面２７００には、ＤＶＤがセットされているか否かを示す挿入ディスク項目２７０１、そのＤＶＤの残量を示すディスク残量項目２７０２、ＤＶＤ録画再生装置２２２０の現在の動作状態を示す動作状態項目２７０３、他のタイマー予約が入っているか否かを示す予約設定項目２７０４の情報が表示される。ここで、リモコン６００の詳細指示器６０３で「詳細」を指示すると（画面上のガイドライン２７０５）、ＤＶＤ録画再生装置２２２０に設定されたタイマー予約の一覧表示画面を表示する。
【０１２０】
図２８にその画面例を示す。画面２８００上には、設定済みの予約データを参照して、予約日時や入力機器に関するデータ２８１０、各予約に対して確保した記録領域に関するデータ２８２０を表示する。データ２８２０は、記録領域を確保したＤＶＤを識別するための固有の番号、その開始位置を示すアドレス、記録領域のサイズなどを示す。ＤＶＤを識別する固有の番号は、製造時やフォーマット時に書き込まれた番号や、予約設定時に書き込まれた暗証番号などを用いる。リモコン６００の決定指示器６０４で「決定」を指示すると、画面２７００に戻る。
【０１２１】
画面２７００上で、リモコン６００の決定指示器６０４で「決定」を指示すると（画面上のガイドライン２７０６）、画面２６００の表示に戻る。
【０１２２】
また、図２９に、アイコン２６０２を選択した場合に表示されるＶＴＲ２２５０に関する情報の画面２９００を示す。画面２９００には、テープがセットされているか否かを示す挿入テープ項目２９０１、そのテープの残量を示すテープ残量項目２９０２、ＶＴＲ２２５０の現在の動作状態を示す動作状態項目２９０３、他のタイマー予約が入っているか否かを示す予約設定項目２９０４の情報が表示される。ここで、リモコン６００の詳細指示器６０３で「詳細」を指示すると（画面上のガイドライン２９０５）、ＶＴＲ２２５０に設定されたタイマー予約の一覧表示画面を表示する。
【０１２３】
図３０にその画面例を示す。画面３０００上には、設定済みの予約データを参照して、予約日時や入力機器、チャンネルに関するデータ３０１０、各予約に対して確保した記録領域に関するデータ３０２０を表示する。データ３０２０は、記録領域を確保したテープを識別するための固有の番号、その開始位置を示すアドレスなどを示す。テープを識別する固有の番号は、そのテープを使い始めた時に所定の位置に書き込んだ番号や、予約設定時に書き込んだ暗証番号などを用いる。決定指示器６０４を指示すると、画面２９００に戻る。
【０１２４】
画面２９００上で、リモコン６００の決定指示器６０４で「決定」を指示すると（画面上のガイドライン２９０６）、画面２６００の表示に戻る。
【０１２５】
ステップ２５０５で予約番組を録画する関連機器が決定すると、該関連機器にセットされた記録メディアに対して録画に必要な領域を確保し、その領域に関する情報を取得する（ステップ２５０６）。記録領域を確保する方法として、入力機器２２１０が関連機器に対して必要な記録領域を確保する要求を発行し、それに応じて関連機器がセットされた記録メディア上のシーケンシャルな領域を確保し、確保できたか否かの結果と領域開始位置、領域サイズなどを入力機器２２１０に通知する方法や、入力機器２２１０が関連機器に対して予約録画を指示すると、それに応じて関連機器がセットされた記録メディア上のシーケンシャルな領域を確保し、その領域開始位置、領域サイズなどを入力機器２２１０に通知する方法などがある。
【０１２６】
その後、入力機器２２１０は、ステップ２５０１で入力された予約内容と、ステップ２５０６で取得した記録領域に関する情報を元に、予約データ２３００を作成し、管理する（ステップ２５０７）。それと同時に、入力機器２２１０は、予約データ２４００を作成するために必要な情報を関連機器に送信し、予約データ２４００の設定要求を発行する（ステップ２５０８）。これに対し、設定要求を受信した関連機器は予約データ２４００を作成し、管理する。
【０１２７】
ここで、ステップ２５０８において、入力機器２２１０が予約データ２４００を作成して送信し、それを受信した関連機器はそのまま設定し、管理することもできる。また、指定予約時間と記録可能な容量を持つ記録メディアを確認すればタイマー予約を確実に行えるので、ステップ２５０３とステップ２５０４の順番は逆であっても構わないことはいうまでもない。
【０１２８】
また、ステップ２５０４において表示した画面２６００では、指定予約時間と録画可能な容量を持つ記録メディアがセットされた録画装置のみが選択可能であったが、バス１０上の全ての録画装置を表示し、選択可能にすることもできる。このとき、記録メディアがセットされていない、あるいはセットされた記録メディアの容量が足りない、という録画装置を選択した場合は、図３１、図３２に示すような警告画面を表示する。
【０１２９】
記録メディアがセットされていない場合は、図３１に示す警告画面３１００を表示する。該画面３１００上には、操作者に対して、記録メディアをセットするように促す選択項目３１０１、他の録画装置を選択する選択項目３１０２を表示する。
【０１３０】
操作者が記録メディアをセットした後、選択項目３１０１を選択して決定指示器６０４を指示すると、その記録メディアの容量をチェックし、ステップ２５０６以降の処理を行う。操作者が選択項目３１０２を選択して決定指示器６０４を指示すると、画面２６００に戻り、他の録画装置を選択できる状態にする。
【０１３１】
セットされた記録メディアの容量が足りない場合は、図３２に示す警告画面３２００を表示する。該画面３２００上には、操作者に対して、新しいテープあるいはディスクをセットする選択項目３２０１、他の録画装置を選択する選択項目３２０２、テープあるいはディスクの最後まで録画した後、他の録画機器に録画する選択項目３２０３を表示する。
【０１３２】
操作者が新しい記録メディアをセットした後、選択項目３２０１を選択して決定指示器６０４を指示すると、その記録メディアの容量をチェックし、ステップ２５０６以降の処理を行う。操作者が選択項目３２０２を選択して決定指示器６０４を指示すると、画面２６００に戻り、他の録画装置を選択できる状態にする。
【０１３３】
操作者が選択項目３２０３を選択して決定指示器６０４を指示すると、現在セットされている記録メディアの記録領域を確保すると同時に、画面２６００に戻り、他の録画装置を選択できる状態にする。そして、操作者により他の録画装置を選択し、その録画装置にセットされた記録メディアに対しても、同様に記録領域を確保する。この場合、予約データ２３００、２４００内の関連機器ＩＤ２３２０、２４２０、記録メディア情報２３４０、２４４０、記録領域に関する設定情報２３５０、２４５０、各種の予約設定情報２３６０、２４６０には、２台以上の関連機器に関するデータが含まれる。
【０１３４】
次に、図４３を用いて、関連機器側におけるタイマー予約録画処理を行う手順について説明する。
【０１３５】
図２５のステップ２５０３において、入力機器側より指定予約時間に使用予定があるか否かの問い合わせを受信すると、関連機器は設定済みの予約データ２４００を読み込み（ステップ４３０１）、予約データ２４００内の予約時間２４２０を参照しながら、該指定予約時間に使用予定があるか否かをチェックする（ステップ４３０２）。その結果、使用予定がある場合は、該指定予約時間に利用できない旨を該入力機器に通知する。使用予定がない場合は、該予約時間に利用できる旨を通知する。
【０１３６】
次に、ステップ２５０４において、入力機器側より現在セットしている記録メディアに指定番組を録画するために必要な容量があるか否かの問い合わせを受信すると、関連機器は該予約データ２４００内の記録メディア情報２４４０、記録領域に関する設定情報２４５０を参照しながら、現在セットされている記録メディア上の空き領域を検索する（ステップ４３０３）。その結果、空き領域があるか否かを判別し（ステップ４３０４）、空き領域がある場合は、必要な記録領域がある旨を該入力機器に通知する。空き領域がない場合は、記録領域が不十分である旨を該入力機器に通知する。
【０１３７】
そして、ステップ２５０６において、入力機器側より必要な記録領域の確保要求を受信すると、現在セットされた記録メディア上のシーケンシャルな領域を確保し、確保できたか否かの結果と領域開始位置、領域サイズなどの情報を入力機器に通知する（ステップ４３０５）。その後、ステップ２５０８において、入力機器側より予約データの設定要求を受信すると、予約データ２４００を作成し、管理する。あるいは、入力機器側で作成した予約データ２４００を受信した関連機器はそのまま設定し、管理することもできる（ステップ４３０６）。
【０１３８】
ここで、ステップ４３０５における記録メディアの記録領域を確保する方法について、図３３、図３４を用いて、説明する。
【０１３９】
図３３に、ＤＶＤ３３００上に確保した記録領域３３１０を示す。記録領域３３１０は、録画に必要な容量分を、記録開始アドレス３３２０からシーケンシャルに（すなわち、アドレスが連続するように）確保する。ＤＶＤ３３００の場合、内側から外側に向かってスパイラル状にデータを書き込んでいくため、外側ほど空き領域は多い。したがって、予約時には、外側の部分を確保するようにすれば良い。また、必要な容量は、予約番組データの標準転送速度（ＰｅｒｆｅｃＴＶの場合、４Ｍｂｐｓ）や記録時に付加するヘッダなどのデータ、ＤＶＤ録画再生装置２２１０の最大記録速度などから算出する。ＭＤなども同様である。
【０１４０】
図３４に、磁気テープ３４００上に確保した記録領域３４３０を示す。記録領域３４３０は、録画に必要な容量分を、記録開始位置３４２０から連続して記録終了位置３４４０まで確保する。磁気テープに何も録画されていない場合、記録開始位置３４２０、記録終了位置３４４０は、まず予約設定時に記録開始位置３４２０のコントロールトラック３４１０を書き込み、その場所にＶＩＳＳを設定、あるいはリニアタイムカウンター値を記録し、予約設定後に必要な容量分のコントロールトラック３４１０を書き込んでいき、記録終了位置３４４０にＶＩＳＳを設定、あるいはリニアタイムカウンター値を記録する。また、磁気テープを予めフォーマットし、コントロールトラック３４１０を書き込んでおく方法もある。また、絶対トラック番号やタイムコードを用いて記録開始位置３４２０、記録終了位置３４４０を管理する方法もある。必要な容量は、磁気テープの書き込み速度や、リールの回転数から算出するテープ走行時間などから算出する。
【０１４１】
入力機器、関連機器が上述のような動作を行うことによって、より確実にタイマー録画予約し、その予約を実行できるようになるが、予約設定後予約実行時までに操作者の手違い等で、関連機器側に記録メディアがセットされていない、あるいは異なる記録メディアがセットされているような場合も考えられる。以下、このような場合の処理について説明する。
【０１４２】
まず、タイマー予約を設定した入力機器、あるいは関連機器内の時刻管理部からタイマー予約録画の設定時間が通知されると、関連機器では該予約に対応した予約データ２４００内の記録メディア情報２４４０を参照して、所定の記録メディアがセットされているかチェックする。その結果、記録メディアがセットされていない場合は、図４４に示すような警告画面４４００を表示する。該画面４４００上には、操作者に対して、記録メディアをセットするように促す選択項目４４０１、他の録画装置を選択する選択項目４４０２、該予約実行を取り消す選択項目４４０３を表示する。
【０１４３】
操作者が所定の記録メディアをセットした後、選択項目４４０１を選択してリモコン６００の決定指示器６０４で「決定」を指示すると、予約実行処理を続行する。操作者が選択項目４４０２を選択してリモコン６００の決定指示器６０４で「決定」を指示すると、画面２６００を表示し、他の録画装置を選択できる状態にする。操作者が選択項目４４０３を選択してリモコン６００の決定指示器６０４で「決定」を指示すると、予約実行を取り消す処理を行う。この処理については図４１にて後述する。
【０１４４】
また、所定の記録メディアがセットされていない場合は、図４５に示すような警告画面４５００を表示する。該画面４５００上には、操作者に対して、現在セットされている記録メディアに録画する選択項目４５０１、他の録画装置を選択する選択項目４５０２、該予約実行を取り消す選択項目４５０３を表示する。
【０１４５】
操作者が所定の記録メディアをセットした後、選択項目４５０１を選択してリモコン６００の決定指示器６０４で「決定」を指示すると、予約実行処理を続行する。所定の記録メディアと異なる記録メディアをセットした後、選択項目４５０１を選択してリモコン６００の決定指示器６０４で「決定」を指示すると、該記録メディア上に必要な空き領域があるか否かをチェックし、必要な空き領域がある場合は予約実行処理を続行する。必要な空き領域がない場合は、警告画面３２００を表示する。操作者が選択項目４５０２を選択してリモコン６００の決定指示器６０４で「決定」を指示すると、画面２６００を表示し、他の録画装置を選択できる状態にする。操作者が選択項目４５０３を選択してリモコン６００の決定指示器６０４で「決定」を指示すると、予約実行を取り消す処理を行う。
【０１４６】
次に、図３５を用いて、上記タイマー予約設定後に、関連機器に対して他の機器から録画要求が発行された場合の関連機器側の処理について説明する。具体的な例として図２２において、衛星放送受信機２２１０とＶＴＲ２２５０との間で衛星放送番組のタイマー予約設定が終了した後、ＤＶＤ２２２０から映画や音楽用のコンテンツをＶＴＲ２２５０に録画する要求が発行された場合などが挙げられる。
【０１４７】
バス１０に接続された他の機器から録画要求を受信すると、該関連機器は既に設定済みの予約データ２４００を読み込む（ステップ３５０１）。そして、予約データ２４００内の記録メディア情報２４４０、記録領域に関する設定情報２４５０を参照しながら、現在セットされている記録メディア上の空き領域を検索する（ステップ３５０２）。その結果、空き領域があるか否かを判別し（ステップ３５０３）、空き領域がある場合は、録画要求を受け付け、録画を開始する（ステップ３５０４）。空き領域がない場合は、録画要求を発行した機器と操作者に対して警告画面を表示するなどの通知処理を行う（ステップ３５０５）。
【０１４８】
図３６に、ステップ３５０５で表示する警告画面例を示す。操作者が別の記録メディアをセットした後、画面３６００上でリモコン６００で決定指示器６０４の「決定」を指示すると、録画要求を受け付け、録画を開始する。
【０１４９】
以上では、空き領域がある場合には他の機器からの録画要求を受け付けたが、タイマー予約が設定されている場合には他の機器からの録画要求を全く受けつけないようにすることもできる。また、ＤＶＤ録画再生装置２２２０の場合、他の機器からの読み出し要求は受け付けるが、録画要求は受け付けない、あるいは空き領域があれば受け付ける方法がある。
【０１５０】
次に、図３７を用いて、ＤＶＤ録画再生装置２２２０（あるいはＶＴＲ２２５０）が録画中あるいは再生中に、タイマー予約時間になった場合の処理について説明する。
【０１５１】
まず、タイマー予約を設定した入力機器２２１０、あるいはＤＶＤ録画再生装置２２２０（ＶＴＲ２２５０）内の時刻管理部からタイマー予約録画の設定時間が通知されると（ステップ３７０１）、ＤＶＤ録画再生装置２２２０（ＶＴＲ２２５０）は、操作者に対して設定されたタイマー予約を実行するか否かを決定する警告画面を表示、あるいはブザーなど音声を発するなどの通知処理を行う（ステップ３７０２）。図３８に、ステップ３７０２で表示する警告画面例を示す。操作者は、画面３８００上で、現在の録画を続行するか、あるいはタイマー予約を実行するかを判別する（ステップ３７０３）。
【０１５２】
画面３８００上で、操作者が選択項目３８０１を指示すると、現在の録画を中止し、タイマー予約の実行に必要な処理を開始する（ステップ３７０４）。ここで、現在の録画を続行するために、図３９に示すように、操作者により他の録画装置を選択してもらうための画面を表示することもできる。画面３９００上で、選択項目３９０１を指示すると、画面２６００を表示し、続行して録画するための機器を選択する。選択項目３９０２を指示すると、現在の録画を中止する。また、自動的に他の録画装置を選択することもできる。
【０１５３】
画面３８００上で、操作者が選択項目３８０２を指示すると、設定されたタイマー予約を取り消す処理を行う（ステップ３７０５）。図４０に、ステップ３７０５で表示する警告画面例を示す。画面４０００上で、操作者が選択項目４００１を指示すると、タイマー予約の取り消し処理を実行する。また、選択項目４００２を指示すると、画面３８００に戻る。
【０１５４】
ここで、ステップ３７０５において、タイマー予約を実行するために、図４６に示すように、操作者により他の録画装置を選択してもらうための画面を表示することもできる。画面４６００上で、選択項目４６０１を指示すると、画面２６００を表示し、該タイマー予約を実行するための機器を選択する。選択項目４６０２を指示すると、タイマー予約の取り消し処理を実行する。
【０１５５】
最後に、図４１を用いて、ステップ３７０５のタイマー予約を取り消す手順について説明する。
【０１５６】
まず、予約データ管理部から予約データを読み込み（ステップ４１０１）、内容をチェックする。そして、入力機器ＩＤ２４３０あるいは関連機器ＩＤ２３３０を参照し、この予約データが自分以外の機器にも関わるものであるかを判別する（ステップ４１０２）。その結果、他の機器にも関わるものであれば、それらの機器全てに対して、該予約の取り消し要求（すなわち、該予約データの削除）を発行する（ステップ４１０３）。そして、自分の機器で管理している予約データを削除する（ステップ４１０４）。他の機器に関わるものでなければ、ステップ４１０４の処理を行う。
【０１５７】
以上により、タイマー予約設定時に、予め録画装置にセットした記録メディア上の必要な記録領域を確保し、予約データにその記録メディアと記録領域に関する情報を含んだ構成にすることにより、予約実行を開始する前に異なった記録メディアがセットされていたり、容量が不足するという事態を把握することができ、予約実行時には確実に指定の記録メディア上に最後まで録画することができる。また、予約設定後に他の機器から録画要求が発行された場合でも、その予約実行に支障をきたすことなく、柔軟に対応することができる。
【０１５８】
ここで、本実施形態では、番組データの標準転送速度や最大記録速度などから、録画装置側で確保する記録領域のサイズを算出しているが、放送局が各種データの中に番組データの全容量、あるいは最大転送速度のデータを入れて送信し、録画装置側ではそのデータを元に必要なサイズを確保する方法もある。
【０１５９】
図４２に、放送局から受信した番組のデータ容量を表示した画面例を示す。放送番組の番組ガイド画面４２００上で、任意の番組を指示すると、その番組に関する詳細を説明する画面４２１０を表示する。画面４２１０上には、番組の内容、購入料金に加えて、番組のデータ容量を表示する。これにより、録画装置側では、無駄のない、より正確な記録領域を確保することができる。
【０１６０】
また、タイマー予約を行う場合、各機器の時間の調整が必要となる。そこで、上述のタイマー予約システムにおいて、バス上の同期転送のバンド幅、チャネル制御や電力管理などを行う機器（例えば、ＩＥＥＥ１３９４を使用したシステムの場合、バスマネージャ、あるいはIsochronous Resourceマネージャを備え、ルートとなる機器）や、チューナーなど外部の放送局などから時間情報を取得し、時間調整を行うことができる機器が、時刻管理部１０６、１１６の入力機器となり、定期的にバス上に接続された各機器の時間調整を行う方法が考えられる。
【０１６１】
また、タイマー予約を実行する機器と連携して動作する機器が、タイマー予約が指示された際にタイマーの入力機器に対して時間調整を依頼、あるいは時間を取得して自分で調整するという方法が考えられる。
【０１６２】
【発明の効果】
本発明に係る機器使用技術は、各ＡＶ機器が自分以外のＡＶ機器で設定された、バス上に存在する全機器使用情報の中から自機器が関わる全ての情報について把握することができるようにすることで、コントロール先の関連機器に対してのみバス使用内容の問い合わせを行えば、バス上に存在する機器使用情報で関連機器に関わる全情報について取得することができるようになるため、機器使用の重複などの不具合を回避し、バス上の機器使用の整合性を保持するのに適している。
【０１６３】
さらに、タイマー予約時に、予めＡＶ機器にセットした記録メディア上の必要な記録領域を確保することにより、予約実行を開始する前に異なった記録メディアがセットされていたり、容量が不足するという事態を把握することができ、予約実行時には確実に指定の記録メディア上に最後まで録画することができる。また、予約設定後に他のＡＶ機器から録画要求が発行された場合でも、その予約実行に支障をきたすことなく、柔軟に対応することができる。
【図面の簡単な説明】
【図１】本発明の実施形態の１つである、ＡＶ機器システムにおけるタイマー予約の一構成例である。
【図２】入力機器となるＡＶ機器内で管理する予約データの一構成例である。
【図３】関連機器となるＡＶ機器内で管理する予約データの一構成例である。
【図４】ＡＶ機器システムにおいて入力機器又は関連機器内で管理される予約データの実例である。
【図５】タイマー予約処理を行う手順を示すフローチャートである。
【図６】タイマー予約処理における入力機器の画面例である。
【図７】タイマー予約処理が実行できない旨を通知するときの入力機器の画面例である。
【図８】タイマー予約処理において、関連機器の予約状況を表示するときの入力機器の画面例である。
【図９】タイマー予約処理において、指定時間に重複した予約がある旨を通知するときの入力機器の画面例である。
【図１０】タイマー予約済みの番組予約一覧を表示するときの入力機器の画面例である。
【図１１】タイマー予約済みの番組予約一覧を表示するときの関連機器の画面例である。
【図１２】ＡＶ機器システム構成の変化時に各ＡＶ機器が予約内容のチェックを行う手順を示すフローチャートである。
【図１３】入力機器あるいは関連機器が使用できない状態である旨を通知するときの画面例である。
【図１４】制御バスで接続された各ＡＶ機器間で通信するためのコマンドパケット、およびレスポンスパケットの一構成例である。
【図１５】有料番組をタイマー録画する場合のタイマー予約状況例である。
【図１６】放送番組の時間変更に伴い、次の予約番組が重なる旨を通知するときの画面例である。
【図１７】本発明の他の実施形態であるＡＶ機器システムの一構成例である。
【図１８】タイマー予約済みの番組予約一覧を表示するときの入力機器の画面例である。
【図１９】タイマー予約済みの予約一覧を表示するときの関連機器の画面例である。
【図２０】本発明の他の実施形態であるＡＶ機器システムの一構成例である。
【図２１】各ＡＶ機器内で管理する予約データの一構成例である。
【図２２】  本発明の他の実施形態であるＡＶシステムの一構成例である。
【図２３】  入力機器となるＡＶ機器内で管理する予約データの一構成例である。
【図２４】関連機器となるＡＶ機器内で管理する予約データの一構成例である。
【図２５】タイマー予約設定を行う手順を示すフローチャートである。
【図２６】タイマー予約処理における録画装置（関連機器）を選択する画面例（入力機器）である。
【図２７】タイマー予約処理における録画装置（関連機器）の詳細な情報を表示する画面例である。
【図２８】予約設定済みのタイマー予約一覧を表示する画面例である。
【図２９】タイマー予約処理における録画装置（関連機器）の詳細な情報を表示する画面例である。
【図３０】予約設定済みのタイマー予約一覧を表示する画面例である。
【図３１】タイマー予約処理における記録メディアがセットされていない状態である旨を通知する画面例である。
【図３２】タイマー予約処理における記録メディアの容量が不足している旨を通知する画面例である。
【図３３】タイマー予約処理おける記録メディア（ディスクの場合）上で確保する記録領域の構成例である。
【図３４】タイマー予約処理における記録メディア（テープの場合）上で確保する記録領域の構成例である。
【図３５】タイマー予約設定後に、他の機器から録画要求を発行された場合に、録画装置が行う手順を示すフローチャートである。
【図３６】タイマー予約設定後に、他の機器から録画要求を発行された場合に、記録メディアの容量が不足している旨を通知する画面例である。
【図３７】録画中あるいは再生中に、タイマー予約設定時間がきた場合に、録画装置が行う手順を示すフローチャートである。
【図３８】録画中あるいは再生中に、タイマー予約設定時間がきた場合に、現在の録画あるいは再生を中断する旨を通知する画面例である。
【図３９】録画中あるいは再生中に、タイマー予約設定時間がきた場合に、現在の録画あるいは再生を中断する旨を通知する画面例である。
【図４０】録画中あるいは再生中に、タイマー予約設定時間がきた場合に、予約をキャンセルする旨を通知する画面例である。
【図４１】タイマー予約の取り消しを行う手順を示すフローチャートである。
【図４２】番組ガイド上で、番組の詳細内容を表示する画面例である。
【図４３】関連機器においてタイマー予約設定を行うフローチャートである。
【図４４】タイマー予約実行時に記録メディアがセットされていない状態である旨を通知する画面例である。
【図４５】タイマー予約実行時に所定の記録メディアがセットされていない状態である旨を通知する画面例である。
【図４６】録画中あるいは再生中に、タイマー予約設定時間がきた場合に、予約をキャンセルする旨を通知する画面例である。
【図１】
0004442936.tif 000002
【図２】
0004442936.tif 000003
【図３】
0004442936.tif 000004
【図４】
0004442936.tif 000005
【図５】
0004442936.tif 000006
【図６】
0004442936.tif 000007
【図７】
0004442936.tif 000008
【図８】
0004442936.tif 000009
【図９】
0004442936.tif 000010
【図１０】
0004442936.tif 000011
【図１１】
0004442936.tif 000012
【図１２】
0004442936.tif 000013
【図１３】
0004442936.tif 000014
【図１４】
0004442936.tif 000015
【図１５】
0004442936.tif 000016
【図１６】
0004442936.tif 000017
【図１７】
0004442936.tif 000018
【図１８】
0004442936.tif 000019
【図１９】
0004442936.tif 000020
【図２０】
0004442936.tif 000021
【図２１】
0004442936.tif 000022
【図２２】
0004442936.tif 000023
【図２３】
0004442936.tif 000024
【図２４】
0004442936.tif 000025
【図２５】
0004442936.tif 000026
【図２６】
0004442936.tif 000027
【図２７】
0004442936.tif 000028
【図２８】
0004442936.tif 000029
【図２９】
0004442936.tif 000030
【図３０】
0004442936.tif 000031
【図３１】
0004442936.tif 000032
【図３２】
0004442936.tif 000033
【図３３】
0004442936.tif 000034
【図３４】
0004442936.tif 000035
【図３５】
0004442936.tif 000036
【図３６】
0004442936.tif 000037
【図３７】
0004442936.tif 000038
【図３８】
0004442936.tif 000039
【図３９】
0004442936.tif 000040
【図４０】
0004442936.tif 000041
【図４１】
0004442936.tif 000042
【図４２】
0004442936.tif 000043
【図４３】
0004442936.tif 000044
【図４４】
0004442936.tif 000045
【図４５】
0004442936.tif 000046
【図４６】
0004442936.tif 000047